(57)【要約】      （修正有）【課題】骨盤の左右のバランスを整え、正中線を正しく保つことができるとともに、装着時にも圧迫感がなく、身体を自由に動かし得る骨盤調整ベルトを提供する。【解決手段】骨盤周りに装着可能なベースベルト１と腸骨近辺においてこのベースベルトの上から装着可能な左右一対のサイドベルト２で構成し、サイドベルトの張力を調整して骨盤の左右のバランスを調整可能とした。ベースベルトは弾性伸縮力を持たせ、面ファスナーを利用して骨盤周りに装着可能としている。ベースベルトは両端フリーであり、弾性伸縮力を有し、腸骨近辺において両端部の面ファスナーを利用してベースベルトに張力を調整して装着可能とした。【選択図】図１
0003183511.tif 000002
【実用新案登録請求の範囲】
【請求項１】
面ファスナーを利用して骨盤周りに装着可能な弾性伸縮力を有するベースベルトと、腸骨の近辺においてこのベースペルの表面に面ファスナーを利用して装着可能とした弾性伸縮力を有する左右一対のサイドベルトとからなる骨盤調整ベルト。
【請求項２】
表面側に面ファスナー素材の一方を配し、裏面側の一端部に面ファスナー素材の他方を配して骨盤周りに面ファスナー素材同士の止着によって装着可能とした弾性伸縮力を有するベースベルトと、両端部に前記ベースベルトの面ファスナー素材の一方に止着可能な面ファスナー素材を有する左右一対の弾性伸縮力を有するサイドベルトとからなり、骨盤周りに止着したベースベルトの上から左右のサイドベルトを張力を調整して腸骨の背面側から前面側にかけて止着するようにした請求項１記載の骨盤調整ベルト。
【請求項３】
ベースベルトが表面側から一方の面ファスナー素材、チタン合金のコーティング層、弾性伸縮力を有する弾性発泡体層、伸縮性布帛から成り、ベースベルトの一端部に他方の面ファスナー素材を配し、弾性発泡体層に複数の貫通孔を形成してなる請求項１又は２記載の骨盤調整ベルト。
【考案の詳細な説明】
【技術分野】
【０００１】
この考案は日常生活において左右のバランスが歪みがちな骨盤のバランスを整えて、体の中心線（正中線）を正常な状態に保つように調整することができる骨盤調整ベルトに関するものである。
【背景技術】
【０００２】
日常生活において左右のバランスが歪んだ骨盤を矯正するための手段として、種々の骨盤矯正ベルトが提供されている。
例えば、特許文献１では、人体の骨盤周りに弾性力をもって巻付けられる位置決めベルトと、この位置決めベルトに重ねられて弾性力をもって巻き付けられる帯状であって、長手方向の両端部が、前記位置決めベルトの腹部側外面に着脱可能となっている締付ベルトとから成り、締付ベルトは位置決めベルトより強い弾性力を有し、長手方向の中央部が位置決めベルトの背面部に固定されている骨盤矯正ベルトが開示されている。
【先行技術文献】
【特許文献】
【０００３】
【特許文献１】特開2007-195687号公報
【考案の概要】
【考案が解決しようとする課題】
【０００４】
上記従来例は、締付ベルトの幅方向の動きを規制する袋状部を位置決めベルトに設けることによって締付ベルトによって締め付けたい部分を強力に締め付けられるようにしたものである。
上記従来例に限らず、骨盤矯正ベルトとして提供されている従来技術は、概ね骨盤の締付力の強化に意が用いられており、骨盤における左右のバランスを調整するという発想は見当たらない。また、締付ベルトが位置決めベルトに固定されているものが殆どであり、骨盤の左右のバランスを微妙に調整する機能を有するものではなかった。また、締付力の強化を主眼とするため、四六時中身体に装着していると圧迫感が感じられ、身体の動作も抑制される難点があった。
そこで、この考案では、骨盤の左右のバランスを整えることに重点をおき、正中線を正しく保つことができるとともに、装着時にも圧迫感がなく、身体を自由に動かし得る骨盤調整ベルトを提供することを目的としている。
【課題を解決するための手段】
【０００５】
上記目的を達成するため、この考案においては、骨盤周りに装着可能なベースベルトと腸骨近辺においてこのベースベルトの上から装着可能な左右一対のサイドベルトで構成し、サイドベルトの張力を調整して骨盤の左右のバランスを調整可能としている。
【０００６】
すなわち、この考案では、面ファスナーを利用して骨盤周りに装着可能なベースベルトと、腸骨の近辺においてこのベースペルトの表面に面ファスナーを利用して装着可能とした左右一対のサイドベルトで骨盤調整ベルトを構成している。
サイドベルトとベースベルトは固定されていないため、身体の前面側あるいは背面側にサイドベルトを伸長して装着することにより、腸骨に前側あるいは後ろ側の力を加え、正中線が正常な状態となるように骨盤のバランスを調整することができる。
また、全体的に骨盤を締め付けるものではないため、四六時中装着していても圧迫感がなく、身体の動きが抑制されることもない。
【０００７】
具体的には、表面側に面ファスナー素材の一方を配し、裏面側の一端部に面ファスナー素材の他方を配して骨盤周りに面ファスナー素材同士の止着によって装着可能とした弾性伸縮力を有するベースベルトと、両端部に前記ベースベルトの面ファスナー素材の一方に止着可能な面ファスナー素材を有する左右一対の弾性伸縮力を有するサイドベルトとからなり、骨盤周りに止着したベースベルトの上から左右のサイドベルトの張力を調整して腸骨の背面側から前面側にかけて止着するようにした骨盤調整ベルトである。
【０００８】
ベースベルトは、表面側から一方の面ファスナー素材、チタン合金のコーティング層、弾性伸縮力を有する弾性発泡体層、伸縮性布帛で構成するのが望ましく、また、弾性発泡体層には複数の貫通孔を形成しておくのが望ましい。
チタン合金のコーティング層は保温性を有するため筋温度低下を防止することができる。
また、弾性発泡体層を使用すれば柔軟性があり、身体の動きに容易に追随させることができる。さらに、この弾性発泡体層に複数の貫通孔を形成しておけば、通気性が良好で、長時間の装着においても蒸れることはない。
サイドベルトは、弾性伸縮力を有する弾性発泡体層の表裏両面に伸縮性布帛を積層したもので、裏面両端部にはベースベルトの一方の面ファスナー素材に止着される面ファスナー素材が設けられている。
【０００９】
面ファスナーの素材としては、ポリエステルまたはナイロンとポリウレタン、あるいはナイロンとポリエステルの混合素材が好ましく、弾性発泡体層としてはクロロプレンゴムの独立気泡の発泡体層が弾性伸縮力、耐久性、保温性などの点から望ましい。伸縮性布帛としてはポリエステルまたはナイロン製布帛が耐久性の点から望ましく、ポリエステルまたはナイロン製ジャージが伸縮性、耐久性の点から望ましい。
【考案の効果】
【００１０】
この考案に係る骨盤調整ベルトを用いれば、両端フリーのサイドベルトを腸骨近辺において身体の前側あるいは後ろ側に張力を掛けて装着することにより、骨盤のバランスを調整することができる。
一旦装着後においてもサイドベルトの一方端を装着し直すことにより、簡単に張力を調整して補正することができる。
また、骨盤全体に強力な締付力を加えるものではないため、四六時中装着していても圧迫感がなく、身体の動きが抑制されることもない。
この骨盤の左右のバランスを正常に保つことにより、正中線も正常な状態に保たれ、背骨も真っ直ぐと立ち、良好な健康状態が得られるものである。
【図面の簡単な説明】
【００１１】
【図１】本考案に係る骨盤調整ベルトの一例を示す正面図で、一対のサイドベルトとベースベルトを示している。
【図２】同骨盤調整ベルトの使用時におけるベースベルトとサイドベルトの組合せ装着状態を示す正面図。
【図３】同骨盤調整ベルトのサイドベルトの背面図とベースベルトの積層構造を示す斜視図。
【図４】同骨盤調整ベルトのベースベルトを骨盤周りに装着する準備段階を示す正面図。
【図５】同骨盤調整ベルトのベースベルト骨盤周りに装着した状態を示す正面図。
【図６】骨盤の左右のバランスをチェックする一方法を示す斜視図でアンバランスな状態を示している。
【図７】骨盤調整ベルトを使用して骨盤の左右のバランスを補整した状態を示す斜視図。
【図８】サイドベルトによってバランスを調整する操作を示す正面図。
【考案を実施するための形態】
【００１２】
本考案に係る骨盤調整ベルトは、骨盤周りに装着可能なベースベルトと腸骨近辺においてこのベースベルトの上から装着可能な左右一対のサイドベルトで構成し、サイドベルトの張力を調整して骨盤の左右のバランスを調整可能としたもので、以下、添付図面に従って具体的に説明する。
【００１３】
図１は、本考案に係る骨盤調整ベルトの一例を示す正面図で、ベースベルト１と一対のサイドベルト２で構成されている。図２及び図３も参照して説明する。
ベースベルト１は骨盤周りに沿って装着しやすい形状とされ、弾性伸縮力を有しており、表面側に面ファスナー素材の一方３を配し、裏面側の一端部に面ファスナー素材の他方４を配して骨盤周りに面ファスナー素材同士の止着によって装着可能としている。
サイドベルト２は、弾性伸縮力を有する弾性発泡体層の表裏両面に伸縮性布帛を積層したもので、裏面両端部にはベースベルト１の一方の面ファスナー素材３に止着される面ファスナー素材５が設けられている。
【００１４】
本骨盤調整ベルトの使用時は、図２に示す通り、ベースベルト１を面ファスナー素材３、４同士の係合によって骨盤周りに弾性伸縮力を利用して装着した上で、左右一対のサイドベルト２を、腸骨近辺において、背面側から前面側に張力を持たせて面ファスナー素材５によってベースベルト１の外面に装着するようになっている。
【００１５】
図３に示す通り、ベースベルト１は、表面側から一方の面ファスナー素材３、チタン合金のコーティング層６、弾性伸縮力を有する弾性発泡体層７、伸縮性布帛８で構成されており、弾性発泡体層７には複数の貫通孔９が形成され、通気性を良好としている。チタン合金のコーティング層６は保温性を有するため筋温度低下を防止することができる。
【００１６】
面ファスナー３、４、５の素材としては、ポリエステルまたはナイロンとポリウレタン、あるいはナイロンとポリエステルの混合素材が好ましく、ベースベルト１の弾性発泡体層７及びサイドベルト２の弾性発泡体層としてはクロロプレンゴムの独立気泡の発泡体層が弾性伸縮力、耐久性、保温性などの点から望ましい。伸縮性布帛８及びサイドベルト２の伸縮性布帛としてはナイロン製布帛が耐久性の点から望ましく、ナイロン製ジャージが伸縮性、耐久性の点から望ましい。
【００１７】
図４は、ベースベルト１を骨盤周りに装着する準備段階を示す正面図で、面ファスナー素材の一方３の側を表面として骨盤部分に沿わせ、図５に示す通り、骨盤周りにやや張力を加えながら巻き付けて、裏面の一端部に設けた面ファスナー素材の他方４を面ファスナー素材の一方３に係合止着して骨盤回りに装着するようにしている。
【００１８】
骨盤の左右のバランス状態をチェックする一方法として、図６に示すように、床面において仰向けになって横になる方法がある。骨盤の左右のバランスがとれていない場合、例えば、右足の開きが左足より大きくなる傾向がある。図の例では、正中線に対して右足が６０°、左足が４０°の開き角となっている。従って、右足の開きを左足と同様の開き具合になるように調整してやれば、骨盤の左右のバランスがとれ、正中線も真っ直ぐとなる。
【００１９】
図８は、上記のような状態の場合に、本骨盤調整ベルトを使用してバランスの補整を行う操作を示している。上記においては右足の開きが大きいので、骨盤周りにベースベルト１を装着した後、右側の腸骨近辺において装着する一方のサイドベルト２を背面側から前面側に張力を加えて止着し、左側の腸骨近辺において装着する他方のサイドベルト２は前面側から背面側に軽く回して止着する。
【００２０】
このような装着状態を取った後の足の開き状態をチェックすると、図７に示す通り、左右の足が同様な開き状態となり、骨盤の左右のバランスが取れていることが確認できる。
実際に装着状態を調整する場合は、仰向けになって横になったまま、左右の足の開き状態に応じて、左右のサイドベルト２の張力を調整しながら装着すると分かりやすい。一旦装着した後であっても、サイドベルト２はベースベルト１に取り付けられていないので、前面側端部あるいは背面側端部の止着位置を調整することができ、しかも、左右で引っ張り方向を自由に選定できるため、微妙な調整が可能となっている。
【００２１】
以上の通り、この考案に係る骨盤調整ベルトは、従来の骨盤矯正ベルトのように、骨盤に対する締付力の強化を主眼とするのではなく、骨盤の左右のバランスを調整することを目的として、骨盤周りに装着するベースベルトと、これに取り付けられずに両端フリーの左右一対のサイドベルトを設け、このサイドベルトを骨盤のバランスに応じて、腸骨近辺において張力を調整してベースベルトに止着するようにしたので、骨盤の左右のバランスの調整が容易であり、正中線を正常な状態に保つことができ、背骨も真っ直ぐに立ち、良好な健康状態が得られるものである。
また、骨盤全体に強力な締付力を加えるものではないため、四六時中装着していても圧迫感がなく、身体の動きが抑制されないので、常時無理なく使用できるという利点を有している。従って、スポーツを行う際にもわずらわしさを感じることなく使用可能であり、例えばゴルフを行う際に骨盤の左右のバランスをとって正中線を真っ直ぐにしておけば、
スイングの際に身体の回転中心線が狂うことなく、正確なショットを可能にすることもできる。
【符号の説明】
【００２２】
１  ベースベルト
２  サイドベルト
３  面ファスナー素材の一方
４  面ファスナー素材の他方
５  面ファスナー素材
６  チタン合金のコーティング層
７  弾性発泡体層
８  伸縮性布帛
９  貫通孔
【図１】
0003183511.tif 000003
【図２】
0003183511.tif 000004
【図３】
0003183511.tif 000005
【図４】
0003183511.tif 000006
【図５】
0003183511.tif 000007
【図６】
0003183511.tif 000008
【図７】
0003183511.tif 000009
【図８】
0003183511.tif 000010
【手続補正書】
【提出日】平成25年3月13日(2013.3.13)
【手続補正１】
【補正対象書類名】実用新案登録請求の範囲
【補正対象項目名】請求項１
【補正方法】変更
【補正の内容】
【請求項１】
面ファスナーを利用して骨盤周りに装着可能な弾性伸縮力を有するベースベルトと、腸骨の近辺においてこのベースベルトの表面に面ファスナーを利用して装着可能とした弾性伸縮力を有する左右一対のサイドベルトとからなる骨盤調整ベルト。
【手続補正２】
【補正対象書類名】明細書
【補正対象項目名】０００６
【補正方法】変更
【補正の内容】
【０００６】
すなわち、この考案では、面ファスナーを利用して骨盤周りに装着可能なベースベルトと、腸骨の近辺においてこのベースベルトの表面に面ファスナーを利用して装着可能とした左右一対のサイドベルトで骨盤調整ベルトを構成している。
サイドベルトとベースベルトは固定されていないため、身体の前面側あるいは背面側にサイドベルトを伸長して装着することにより、腸骨に前側あるいは後ろ側の力を加え、正中線が正常な状態となるように骨盤のバランスを調整することができる。
また、全体的に骨盤を締め付けるものではないため、四六時中装着していても圧迫感がなく、身体の動きが抑制されることもない。